(57)【要約】【課題】  露光処理された平版印刷版を、容易にウオッシュオフして良好に現像可能とする。【解決手段】  露光後に水又は水性液体により脱膜分散して像形成する平版印刷版１２を露光処理し、平版印刷版１２の搬送方向とは逆向きに水又は水性液体の水流を当てることにより、露光処理で硬化した膜を残し、露光処理で硬化していない膜を剥離して脱落させて、画像を形成する。平版印刷版１２の搬送方向下流側に常にフレッシュな水又は水性液体が供給され、剥離分散した膜を含んだ水又は水性液体が搬送上流側から流れ落ちて感光層の面上に残ったり再付着しないようにして良好に現像が行える。【選択図】      図３
2005099585.tif 000002
【特許請求の範囲】
【請求項１】
露光後に水又は水性液体により脱膜分散して像形成する平版印刷版の現像方法において、
露光処理された前記平版印刷版を搬送する搬送工程と、
前記搬送手段で搬送される前記平版印刷版の感光層へ、搬送方向とは逆向きに水又は水性液体を当て、未露光又は露光された前記感光層を剥離させる水供給工程と、
を有することを特徴とする平版印刷版の現像方法。
【請求項２】
露光後に水又は水性液体により脱膜分散して像形成する平版印刷版の現像装置において、
露光処理された前記平版印刷版を挟持搬送する２組のニップローラを有する搬送手段と、
前記２組のニップローラの間に噴射位置が設定され、搬送される前記平版印刷版の感光層へ、搬送方向とは逆向きに圧力がかかった水又は水性液体をスプレーノズルから噴射して当て、未露光又は露光された前記感光層を剥離させる水供給手段と、
を有することを特徴とする平版印刷版の現像装置。
【請求項３】
前記搬送手段は、前記感光層に水又は水性液体が当たる位置より搬送方向上流側が低くなっていることを特徴とする請求項２に記載の平版印刷版の現像装置。
【請求項４】
前記搬送手段は、前記感光層を下にして前記平版印刷版を搬送することを特徴とする請求項２又は請求項３に記載の平版印刷版の現像装置。
【請求項５】
露光後に水又は水性液体により脱膜分散して像形成する平版印刷版の画像形成装置において、
感光層の膜に形成される潜像の画像部又は非画像部が露光処理で硬化していない膜で構成されるように露光処理された前記平版印刷版を、前記感光層の膜を上に向けた状態で搬送する搬送手段と、
前記搬送手段により搬送される前記平版印刷版の前記感光層の上に向けられた前記膜に対して、搬送方向とは逆向きに水又は水性液体の圧力水を噴射するスプレーノズルと、
前記搬送手段上を搬送さる前記平版印刷版の下側に配置され、前記スプレーノズルから噴射された水又は水性液体を受けるドレインと、
前記ドレインから送液パイプを通じて抜き出した水又は水性液体を、当該送液パイプの途中に配置したパイプフィルタと、ポンプとを通して前記スプレーノズルへ循環させて噴射させる水又は水性液体の循環流体回路と、
を有することを特徴とする平版印刷版の現像装置。
【請求項６】
露光後に水又は水性液体により脱膜分散して像形成する平版印刷版の画像形成装置において、
感光層の膜に形成される潜像の画像部又は非画像部が露光処理で硬化していない膜で構成されるように露光処理された前記平版印刷版を、前記感光層の膜を下に向けた状態で搬送する搬送手段と、
前記搬送手段における、前記平版印刷版の搬送方向上流側から下流側にかけて、水平か又は斜めに立ち上がるように傾斜する部分を搬送されている前記平版印刷版の前記感光層の下に向けられた前記膜に対して、搬送方向とは逆向きに水又は水性液体の水流を当てるスプレーノズルと、
前記搬送手段上を搬送さる前記平版印刷版の下側に配置され、前記スプレーノズルから噴射された水又は水性液体を受けるドレインと、
前記ドレインから送液パイプを通じて抜き出した水又は水性液体を、当該送液パイプの途中に配置したパイプフィルタと、ポンプとを通して前記スプレーノズルへ循環させて噴射させる水又は水性液体の循環流体回路と、
を有することを特徴とする平版印刷版の現像装置。
【請求項７】
露光後に水又は水性液体により脱膜分散して像形成する平版印刷版の画像形成装置において、
感光層の膜に形成される潜像の画像部又は非画像部が露光処理で硬化していない膜で構成されるように露光処理された前記平版印刷版を、搬送方向上流側から下流側にかけて縦に立ち上がる縦搬送手段を通すように構成した搬送手段と、
前記縦搬送手段の部分を搬送されている前記平版印刷版の前記感光層の前記膜に対して、搬送方向とは逆向きに水又は水性液体の水流を当てるスプレーノズルと、
前記縦搬送手段の下側に配置され、前記スプレーノズルから噴射された水又は水性液体を受けるドレインと、
前記ドレインから送液パイプを通じて抜き出した水又は水性液体を、当該送液パイプの途中に配置したパイプフィルタと、ポンプとを通して前記スプレーノズルへ循環させて噴射させる水又は水性液体の循環流体回路と、
を有することを特徴とする平版印刷版の現像装置。
【発明の詳細な説明】
【技術分野】
【０００１】
この発明は、レーザ光等を利用して露光処理をした平板印刷版に、現像処理をして製版する、平版印刷版の現像方法及び現像装置に関する。
【背景技術】
【０００２】
一般に、オフセット印刷には、感光性平版印刷版（いわゆるＰＳ版）が利用されている。また、この平版印刷の分野では、コンピュータ等のデジタルデータに基づいてレーザ露光処理することにより直接印刷版を製版するＣＴＰ（Ｃｏｍｐｕｔｅｒ  ｔｏ  Ｐｌａｔｅ）システムに利用する平版印刷版が提案されている。
【０００３】
従来、このようなＣＰＴシステムでは、平版印刷版に露光後、現像処理することなしに、印刷機に装着して印刷する印刷機上現像（on press development）システムが提案されている。
【０００４】
この印刷機上現像システムでは、表面を陽極酸化し（anodize）粗面化した親水性表面を有するアルミニウム平板を支持体として使用し、この親水性表面上に、熱の影響下で合体可能で、かつ親水性結合剤中に分散された疎水性熱可塑性重合体粒子を含んでなる像形成層を形成し、この像形成層又はこれに隣接する層に光を熱に転換する化合物を含ませて構成した平板印刷版を利用する。
【０００５】
この印刷機上現像システムでは、平版印刷版に対する露光処理を、例えば、赤外（ＩＲ）線や近赤外線領域の波長範囲のレーザ光（ＬＥＤ、レーザーダイオードで発光するもの）を使用して行う。
【０００６】
この平版印刷版に対する露光処理では、所要の画像に対応して像形成層上に照射されたレーザ光が熱に変換され、像形成層に含まれた疎水性熱可塑性重合体粒子を凝固温度以上に加熱して凝固させて親水性層の中で疎水性集塊を生成させ、普通の水中又は水性液体中で不溶となり脱落分散しないようにさせる。
【０００７】
この印刷機上現像システムでは、このように露光処理された平版印刷版を、例えば、印刷機の印刷シリンダ上に設置し、次に、印刷機を始動して、平版印刷版の像形成層上に水性湿し液を供給する湿し剤ローラを転接させ、さらに平版印刷版の像形成層上にインキローラを転接させて印刷の動作を行わせることにより、平版印刷版の像形成層における凝固（硬化）した疎水性集塊を残して、他の親水性層の部分を普通の水又は水性液体中に脱落分散させて除去することにより現像する。通常では、約１０回の印刷シリンダの回転後に、最初のきれいで有用な印刷が得られるようになっている（例えば、特許文献１参照。）。
【０００８】
さらに、従来の印刷機上現像が可能な平版印刷版（露光後に水又は湿し水により脱膜分散して像形成する平版印刷版）には、平版印刷版の支持体上に設けた感光層に、活性物質として少なくともエチレン性不飽和化合物と光重合開始剤を内包するマイクロカプセルを含み、このマイクロカプセルの表面及び表面付近に、このマイクロカプセルより拡散した活性物質が存在し、感光層が活性光線で露光されることにより感光層の膜が硬化して連続した強固な皮膜が形成され、未露光部分の膜は水又は水性液体によってウオッシュオフ（未露光部分の膜を、水又は水性液体によって脱膜分散させて除去）する事ができるものが提案されている。
【０００９】
この平版印刷版では、ブラシ、モップ、スポンジ等により水を用いてウオッシュオフする現像方法や、従来汎用されているオフセット印刷機に取付けて直接印刷機上で、水棒ロール、インキロールにより、未露光部の感光層を除去する現像方法で現像処理することが提案されている（例えば、特許文献２参照。）。
【００１０】
上述のような、従来の平版印刷版を印刷機上で現像するものでは、現像工程を、印刷機上で印刷処理のための手段を利用して行った直後に連続して、同じ印刷機で適正な印刷物を印刷することになる。
【００１１】
このため、露光処理され潜像が形成された印刷前の平版印刷版は、現像されていないので目視にて画像を認識することができないから、印刷機にかけて非画像部（未露光部）をウオッシュオフして除去することにより現像すると同時に印刷してみるまでは、平版印刷版上に記録すべき画像が正しく記録されているか否かを確認（検版）することができない。
【００１２】
また、従来の平版印刷版を印刷機上で現像するものでは、印刷機の水棒で平版印刷版の画像形成面に湿し水を供給してウオッシュオフする場合に、印刷機の湿し水に剥離した膜が混入し、この剥離した膜が混入して汚れた水が再び版に戻ることで、印刷物に剥離した膜による汚れが発生するという問題がある。
【特許文献１】特許第２９３８３９７号明細書
【特許文献２】特許公報第２６３９７４８号
【発明の開示】
【発明が解決しようとする課題】
【００１３】
本発明は、平版印刷版を印刷機に装填する以前に、露光処理された平版印刷版を、容易にウオッシュオフして良好に現像できる平版印刷版の現像方法及び現像装置を新たに提供することを目的とする。
【課題を解決するための手段】
【００１４】
本発明の請求項１に記載の平版印刷版の現像方法は、露光後に水又は水性液体により脱膜分散して像形成する平版印刷版の現像方法において、露光処理された前記平版印刷版を搬送する搬送工程と、前記搬送手段で搬送される前記平版印刷版の感光層へ、搬送方向とは逆向きに水又は水性液体を当て、未露光又は露光された前記感光層を剥離させる水供給工程と、を有することを特徴とする。
【００１５】
上述のような現像方法を用いることにより、平版印刷版の感光層の面上における搬送方向下流側に常にフレッシュな水又は水性液体が供給されることになると共に、剥離分散した膜を含んだ水又は水性液体が搬送上流側から流れ落ちるようになるので、剥離分散した膜を含んだ水又は水性液体が搬送方向下流側の感光層の面上に残ることが無くなり、剥離分散した膜が平版印刷版に再付着することが防止され、良好に現像が行える。
【００１６】
本発明の請求項２に記載の平版印刷版の現像装置は、露光後に水又は水性液体により脱膜分散して像形成する平版印刷版の現像装置において、露光処理された前記平版印刷版を挟持搬送する２組のニップローラを有する搬送手段と、前記２組のニップローラの間に噴射位置が設定され、搬送される前記平版印刷版の感光層へ、搬送方向とは逆向きに圧力がかかった水又は水性液体をスプレーノズルから噴射して当て、未露光又は露光された前記感光層を剥離させる水供給手段と、を有することを特徴とする。
【００１７】
上述のように構成することにより、平版印刷版の感光層の面上における搬送方向下流側に常にフレッシュな水又は水性液体が供給されることになると共に、剥離分散した膜を含んだ水又は水性液体が搬送上流側から流れ落ちるようになるので、剥離分散した膜を含んだ水又は水性液体が搬送方向下流側の感光層の面上に残ることが無くなり、剥離分散した膜が平版印刷版に再付着することが防止され、良好に現像が行える。
【００１８】
本発明の請求項３に記載の発明は、請求項２に記載の平版印刷版の現像装置において、前記搬送手段は、前記感光層に水又は水性液体が当たる位置より搬送方向上流側が低くなっていることを特徴とする。
【００１９】
上述のように構成することにより、請求項２に記載の発明の作用、効果に加えて、感光層に当たった水又は水性液体が引力により搬送方向上流側へ流れて落ちるので、感光層の面上に水又は水性液体が残ることが防止される。
【００２０】
本発明の請求項４に記載の発明は、請求項２又は請求項３に記載の平版印刷版の現像装置において、前記搬送手段は、前記感光層を下にして前記平版印刷版を搬送することを特徴とする。
【００２１】
上述のように構成することにより、請求項２又は請求項３に記載の発明の作用、効果に加えて、感光層に当たった水又は水性液体が引力により感光層の面から直接下に流れ落ちるので、感光層上に水又は水性液体が残ることが防止される。
【００２２】
本発明の請求項５に記載の平版印刷版の現像装置は、露光後に水又は水性液体により脱膜分散して像形成する平版印刷版の現像装置において、感光層の膜に形成される潜像の画像部又は非画像部が露光処理で硬化していない膜で構成されるように露光処理された平版印刷版を、感光層の膜を上に向けた状態で搬送する搬送手段と、搬送手段により搬送される平版印刷版の感光層の上に向けられた膜に対して、搬送方向とは逆向きに水又は水性液体の圧力水を噴射するスプレーノズルと、搬送手段上を搬送さる平版印刷版の下側に配置され、スプレーノズルから噴射された水又は水性液体を受けるドレインと、ドレインから送液パイプを通じて抜き出した水又は水性液体を、送液パイプの途中に配置したパイプフィルタと、ポンプとを通してスプレーノズルへ循環させて噴射させる水又は水性液体の循環流体回路と、を有することを特徴とする。
【００２３】
上述のように構成することにより、平版印刷版の感光層の面上における搬送方向下流側に常に、スプレーノズルからフレッシュな水又は水性液体の水流が当てられることになると共に、剥離分散した膜を含んだ水又は水性液体が搬送上流側から流れ落ちるようになるので、剥離分散した膜を含んだ水又は水性液体が搬送方向下流側の感光層の面上に残ることが無くなり、剥離分散した膜が平版印刷版に再付着することが防止され、良好に現像が行える。
【００２４】
本発明の請求項６に記載の平版印刷版の現像装置は、露光後に水又は水性液体により脱膜分散して像形成する平版印刷版の現像装置において、感光層の膜に形成される潜像の画像部又は非画像部が露光処理で硬化していない膜で構成されるように露光処理された平版印刷版を、感光層の膜を下に向けた状態で搬送する搬送手段と、搬送手段における、平版印刷版の搬送方向上流側から下流側にかけて、水平か又は斜めに立ち上がるように傾斜する部分を搬送されている平版印刷版の感光層の下に向けられた膜に対して、搬送方向とは逆向きに水又は水性液体の水流を当てるスプレーノズルと、搬送手段上を搬送さる平版印刷版の下側に配置され、スプレーノズルから噴射された水又は水性液体を受けるドレインと、ドレインから送液パイプを通じて抜き出した水又は水性液体を、送液パイプの途中に配置したパイプフィルタと、ポンプとを通してスプレーノズルへ循環させて噴射させる水又は水性液体の循環流体回路と、を有することを特徴とする。
【００２５】
上述のように構成することにより、スプレーノズルから噴射された水又は水性液体が、斜めに搬送される平版印刷版の下に向いた感光層の表面に対して平版印刷版の搬送方向とは逆向きで、かつ斜め下方に向けて吹き付けられることにより、剥離分散した膜を含んだ水又は水性液体が、スプレーノズルからの噴射力と引力とが相俟って、平版印刷版の下部へ自然に流れ落ちることによりドレイン内に流入するようにして、剥離した膜の残骸が平版印刷版の搬送方向下流側の版面上に残ったり、再付着することを十分に防止でき、良好に現像が行える。
【００２６】
本発明の請求項７に記載の平版印刷版の現像装置は、露光後に水又は水性液体により脱膜分散して像形成する平版印刷版の現像装置において、感光層の膜に形成される潜像の画像部又は非画像部が露光処理で硬化していない膜で構成されるように露光処理された平版印刷版を、搬送方向上流側から下流側にかけて縦に立ち上がる縦搬送手段を通すように構成した搬送手段と、縦搬送手段の部分を搬送されている平版印刷版の感光層の膜に対して、搬送方向とは逆向きに水又は水性液体の水流を当てるスプレーノズルと、縦搬送手段の下側に配置され、スプレーノズルから噴射された水又は水性液体を受けるドレインと、ドレインから送液パイプを通じて抜き出した水又は水性液体を、送液パイプの途中に配置したパイプフィルタと、ポンプとを通してスプレーノズルへ循環させて噴射させる水又は水性液体の循環流体回路と、を有することを特徴とする。
【００２７】
上述のように構成することにより、スプレーノズルから噴射された水又は水性液体が、縦搬送手段上を搬送される平版印刷版の略鉛直に向いた感光層の表面に対して平版印刷版の搬送方向とは逆向きに吹き付けられることにより、剥離分散した膜を含んだ水又は水性液体がスプレーノズルからの噴射力と引力とが相俟って縦搬送手段上を搬送されている平版印刷版の直下へ急速に流れ落ちることによりドレイン内に流入するようにして搬送方向下流側の版面に剥離分散した膜が残ったり、再付着することを十分に防止でき、良好に現像が行える。
【発明の効果】
【００２８】
本発明の平版印刷版の現像方法及び現像装置によれば、平版印刷版を印刷機に装填する以前に、露光処理された平版印刷版を、簡素な手段を用いて容易にウオッシュオフして良好に現像できるという効果がある。
【発明を実施するための最良の形態】
【００２９】
本発明の第１実施の形態に係る平版印刷版の現像方法及び現像装置について、図１及び図２を参照しながら説明する。
【００３０】
図１には、本実施の形態に係る、現像装置全体の概略構成が示されている。この現像装置１０は、平版印刷版１２の原版をデジタル画像情報に基づいて変調された赤外線レーザ（以下、「ＩＲレーザＬ」という。）により走査露光し、この平版印刷版１２の原版にデジタル画像情報に対応する画像（潜像）を形成する。
【００３１】
ここで用いる平版印刷版１２は、支持体上に、熱硬化性の感熱材料を含有する画像記録層を形成したもので、水又は水性液体（水若しくは印刷機で用いる湿し水と同じ成分の水性液体又は水に所要の薬剤を添加した水性液体）により濯ぐようにすることにより脱膜分散させ画像が形成されるようにして現像する、いわゆる露光後に水又は水性液体により脱膜分散して像形成する平版印刷版である。
【００３２】
この平版印刷版１２は、アルミニウム又はアルミ合金からなる支持体の表面上に成膜された画像記録層（以下、単に「記録層」という。）を備えている。この記録層は、疎水化前駆体と、光熱変換剤と、を含有する。
【００３３】
なお、この平版印刷版１２（露光後に水又は水性液体により脱膜分散して像形成する平版印刷版）には、その画像記録層に例えば熱反応性化合物を内包するマイクロカプセル、重合開始剤及び光熱変換剤を含有するものを用いることができる。また、ラジカル開始剤或いは酸発生剤の如き重合開始剤と光熱変換剤とは、それぞれ、マイクロカプセル内又はマイクロカプセル外の何れかに存在すれば良いから記録層マトリックス中の少なくとも一方に添加されていれば良い。ただし保存安定性の観点から、重合開始剤は、記録層マトリックス中に添加することが好ましい。また感度の観点から、光熱変換剤は、マイクロカプセル内に添加することが好ましい。
【００３４】
図１に示されるように、現像装置１０には、レーザ記録部１１と、水現像部１００とを設ける。
【００３５】
さらに、現像装置１０には、レーザ記録部１１と、水現像部１００との間位置に、平版印刷版１２の搬入動作及び搬出動作を行う搬送装置１０４を配置する。
【００３６】
この搬送装置１０４は、平版印刷版１２の搬送経路に沿って配置された複数の搬送ローラ３５及びプレート状のガイド部材３６を備えている。この搬送装置１０４は、図１に想像線で示す平版印刷版１２を、露光処理部であるレーザ記録部１１へ搬入する動作又は搬出する動作を行うレーザ記録部搬入搬出位置と、図１に実線で示す平版印刷版１２を水現像部１００へ搬入する動作を行う水現像部搬入位置との間を、回転して移行可能に構成する。
【００３７】
図１及び図２に示すように、露光処理部であるレーザ記録部１１には、１枚の平版印刷版１２が着脱可能とされた円柱状のアウタードラム２０を回転駆動可能に装着する。このアウタードラム２０の外周面上には、平版印刷版１２の先端部と後端部とをそれぞれアウタードラム２０の外周面上にそれぞれ係着するためのチャック機構２２を設けると共に、平版印刷版１２をアウタードラム２０の外周面上に巻装するためのガイドローラ２４を配設する。
【００３８】
図２に示すように、この露光処理部であるレーザ記録部１１には、アウタードラム２０に対向して露光ヘッド２６を配置する。この露光ヘッド２６は、送り機構２８により副走査方向に沿って移動操作可能に装着する。またアウタードラム２０の下部位置には、露光ヘッド２６へＩＲレーザＬを供給するためのＬＤ光源装置３２を配置する。
【００３９】
このレーザ記録部１１における露光ヘッド２６は、複数個のレンズからなり結像光学系を構成するレンズユニット５８と、複数本の光ファイバ７０の先端部を挟持した一対の支持板と、光ファイバ７０の先端面を保護するための透明の保護板等からなるファイバホルダ６０とを有する。
【００４０】
この露光ヘッド２６は、複数本の光ファイバ７０からそれぞれ出射されたＩＲレーザＬを、レンズユニット５８によりアウタードラム２０に装着された平版印刷版１２の原版上に結像し、所定の形状及びサイズを有するビームスポットで露光するよう構成する。
【００４１】
この露光ヘッド２６は、複数個のビームスポットを平版印刷版１２の原版上に同時に投影可能なマルチビームタイプに構成するもので、これら複数個のビームスポットを平版印刷版１２の原版上における副走査方向に沿って配列し、あるいは副走査方向に対して僅かに傾いた直線上に配列して構成する。
【００４２】
この露光ヘッド２６に接続される複数本の光ファイバ７０の他端部は、図２に示すように、ＬＤ光源装置３２における複数個の半導体レーザ７２にそれぞれ接続されている。ＬＤ光源装置３２における半導体レーザ７２は、プレート状のヒートシンク７４上に固定されている。
【００４３】
また光ファイバ７０の途中にはコネクタアレイ７６が設けられており、このコネクタアレイ７６を介し、光ファイバ７０はファイバホルダ６０側の部分と半導体レーザ７２側の部分とが接離可能とされている。これにより、例えば、何れかの半導体レーザＬＤの故障時に、ファイバホルダ６０等を分解することなく、故障した半導体レーザ７２の交換を簡単に行える。
【００４４】
この複数本の光ファイバ７０における露光ヘッド２６側の部分（先端側）は、チューブ状のケーブルベア７８に挿通している。このケーブルベア７８は、長手方向に沿って分割された多数のリンク片８２が直列的にリンク連結された構造とされており、上下方向に沿って湾曲可能な構造とされている。
【００４５】
このケーブルベア７８は、送り機構２８のガイドレール６２の下側に、副走査方向へ延在するように配置された樋状のベアガイド８０内に装着されている。
【００４６】
このベアガイド８０は、ケーブルベア７８を下方から支持しつつケーブルベア７８の前後方向への移動を制限するよう構成されている。これにより、露光ヘッド２６が副走査方向へ移動する時に、露光ヘッド２６と共に移動する光ファイバ７０の先端側部分がケーブルベア７８により保護されて、光ファイバ７０が損傷することが防止される。
【００４７】
この露光ヘッド２６は、送り機構２８におけるプレート状のキャリア６８に搭載されており、このキャリア６８と一体となり副走査方向（図２の矢印Ｓ方向）に沿って移動する。
【００４８】
この送り機構２８は、キャリア６８を副走査方向に沿ってスライド可能に支持する一対のガイドレール６２とモータユニット６４に連結された送りねじ軸６６とを備えている。またキャリア６８の下面部にはブロック状の雌ねじ部材６９が固定されており、この雌ねじ部材６９に穿設された雌ねじ穴にねじ軸６６が螺挿されている。
【００４９】
このように構成した送り機構２８では、モータユニット６４でねじ軸６６を回動制御することにより、キャリア６８と一体の露光ヘッド２６を、ねじ軸６６の回転方向に対応する方向（副走査方向に沿った前進方向又は後進方向）へねじ軸６６の回転量に対応する距離だけ移動させる制御動作を行う。
【００５０】
なお、このレーザ記録部１１では、平版印刷版１２に対する露光処理を露光ヘッド２６が副走査方向へ前進する動作の時にのみ行うようにしている。
【００５１】
このように構成された露光処理部であるレーザ記録部１１は、デジタル画像情報に基づいて変調されたＩＲレーザＬによりアウタードラム２０に装着された平版印刷版１２の原版を走査露光し、この平版印刷版１２の原版の記録層にデジタル画像情報に対応する潜像を形成する。
【００５２】
このように構成された露光処理部であるレーザ記録部１１では、図１に示すように、搬送装置１０４により平版印刷版１２の原版がアウタードラム２０の上端部付近へ搬送されてくると、チャック機構２２によって平版印刷版１２の原版の先端部をアウタードラム２０外周面上にチャックすると共に、アウタードラム２０を所定の正転方向（図１の矢印Ｒ１方向）ヘ回転を開始させる。これにより、先端部がアウタードラム２０の外周面上に拘束された平版印刷版１２の原版は、ガイドローラ２４によりアウタードラム２０の外周面上へ加圧されて密着するように巻き付けられる。
【００５３】
このレーザ記録部１１では、平版印刷版１２の原版が後端部までアウタードラム２０の外周面上に巻き付けられると、チャック機構２２により平版印刷版１２の原版の後端部がアウタードラム２０外周面上へチャックされる。これにより、平版印刷版１２全体がアウタードラム２０の外周面上に密着して巻装された状態となり、平版印刷版１２のアウタードラム２０への装着動作が完了する。
【００５４】
この露光処理部であるレーザ記録部１１では、図２に示すように、平版印刷版１２の原版がアウタードラム２０に巻装された状態において、アウタードラム２０を回転して主走査し、かつ送り機構２８により露光ヘッド２６を副走査方向へ移動（副走査）させつつ、この露光ヘッド２６から出射されるＩＲレーザＬを平版印刷版１２の原版へ照射し、平版印刷版１２の原版に対する走査露光を行う。
【００５５】
この露光処理部であるレーザ記録部１１では、上述のようにしてアウタードラム２０へ装着された平版印刷版１２に対する露光（画像形成）処理を完了すると、アウタードラム２０を逆転方向（図１の矢印Ｒ２方向）へ回転させると共に、チャック機構２２により平版印刷版１２の後端部及び先端部をアウタードラム２０から順次解放する。
【００５６】
これに連動して、搬送装置１０４は、その搬送ローラ３５を回動させることで、アウタードラム２０の外周面上から搬出されてきた平版印刷版１２を、ガイド部材３６の部分に装着された複数の搬送ローラ３５の上に載置する。
【００５７】
この後、搬送装置１０４は、図１に想像線で示すレーザ記録部搬入搬出位置から、図１に実線で示す水現像部搬入位置へ移動し、平版印刷版１２（露光後に水又は水性液体により脱膜分散して像形成する平版印刷版）を水現像部１００へ搬入する動作を行う。
【００５８】
図１に示すように、この現像装置１０では、アウタードラム２０の上方に、水現像部１００を配置する。
【００５９】
この水現像部１００には、平版印刷版１２を搬送するための複数の搬送ローラ対１０８（ニップローラ）を所定間隔で並べて構成した平版印刷版１２の搬送路（搬送手段）の下部における所定範囲に渡って、水又は水性液体を受けるドレイン１０６を配置する。
【００６０】
また水現像部１００には、平版印刷版１２の搬送路（搬送手段）の上部における２組みの搬送ローラ対１０８の間位置に、スプレーノズル１１０を配置する。このスプレーノズル１１０は、その搬送路（搬送手段）上の前後位置にそれぞれ配置された搬送ローラ対１０８でドレイン１０６上を搬送される平版印刷版１２の表面に対して、加圧された水又は水性液体を、平版印刷版１２の搬送方向上流側に向けて勢い良く噴き付ける（水流の強いジェット噴射で噴き付ける）という平版印刷版の現像方法を用いることにより、露光済み平版印刷版１２に形成されている感光層にある未露光部分の膜に水又は水性液体の水流を当てることによってウオッシュオフ（未露光部分の膜を、水又は水性液体によって脱膜分散させて除去）するよう構成する。
【００６１】
このため、加圧された水又は水性液体が噴き付けられる部分に対応した平版印刷版１２の搬送路の下側対向位置には、平版印刷版１２に水又は水性液体が噴き付けられたときの水圧に対抗して平版印刷版１２の版面を保持しながら搬送させるよう転接する支受ローラ１１２を配置する。
【００６２】
この水現像部１００では、スプレーノズル１１０から噴射された水又は水性液体を受けて貯留するドレイン１０６の底部から引き出された送液パイプ１１４の途中にフィルタ１１６を配置し、さらに送液パイプ１１４におけるフィルタ１１６とスプレーノズル１１０との間にポンプ１１８を配置して、水又は水性液体の循環流体回路を構成する。
【００６３】
また、水又は水性液体の循環流体回路では、ポンプ１１８から引き出された送液パイプ１１４の一部を、平版印刷版１２の幅方向（図１の紙面に対し垂直方向）に沿って配置し、この送液パイプ１１４に所定間隔を置いて複数のスプレーノズル１１０をそれぞれ平版印刷版１２の上面へ向って延出するように設けて構成しても良い。
【００６４】
このように構成した水現像部１００の水又は水性液体の循環流体回路では、スプレーノズル１１０から加圧され噴射された水又は水性液体を、平版印刷版１２の搬送方向とは逆向きの方向から勢い良く平版印刷版１２表面の感光層全体に当てて水と圧力を加えることで、露光処理で硬化していない非画像部（ネガ）又は画像部（ポジ）の膜を支持体の表面から剥離して脱落させることにより、画像を形成するためのウオッシュオフの処理をする。
【００６５】
このようにウオッシュオフに使用された水又は水性液体中には、感光層の膜を構成していたカプセルの粒子又は感光層の膜が細かい断片となったいわゆる滓状のものが浮遊する状態となる。
【００６６】
そこで、この平版印刷版の現像方法を適用した水現像部１００では、スプレーノズル１１０から噴射された水又は水性液体を平版印刷版１２の搬送方向とは逆向きの方向から平版印刷版１２に当てることにより、剥離分散した膜を含んだ水又は水性液体が平版印刷版１２の搬送方向とは逆向きに流れてドレイン１０６内に流入するようにして、平版印刷版１２の版面に止まらないようにする流れを版面上に作る。
【００６７】
この平版印刷版の現像方法では、平版印刷版１２の版面上における搬送方向下流側に常にフレッシュな水又は水性液体（ウオッシュ液）が供給されることになると共に、剥離分散した膜を含んだ水又は水性液体が搬送上流側からドレイン１０６へ流れ落ちるようになるので、剥離分散した膜を含んだ水又は水性液体（膜の残骸で汚れた水又は水性液体）が搬送方向下流側の版面上に残ることが無くなり、剥離分散した膜が平版印刷版１２に再付着することが防止され、良好に現像が行える。
【００６８】
なお、従来のブラシ、モップ、スポンジ等の手段でウオッシュオフする場合には、平版印刷版１２の表面に剥離した膜が再付着していない良好な現像状態までウオッシュオフする為には、数回にわたって洗浄、ふき取りを行う必要があるが、上述のような簡素な構成の水現像部１００を用いることにより、このような手間を省き、良好な状態に水現像処理をすることができる。また、ブラシ、モップ、スポンジ等を用いて水現像部を構成するのに比べて、本実施の形態の水現像部１００は、スプレーノズル１１０で構成するので、ブラシ、モップ、スポンジ等を動かせる機構を省略して簡素で廉価な装置を提供できる。
【００６９】
この水現像部１００の水又は水性液体の循環流体回路では、上述のようにウオッシュオフに使用された水又は水性液体が、ドレイン１０６の中に流入し貯留される。
【００７０】
このドレイン１０６の中に貯留された水又は水性液体は、送液パイプ１１４から引き出され、フィルタ１１６を通過する際に、水又は水性液体中に浮遊している感光層の膜を構成していたカプセルの粒子又は感光層の膜が細かい断片となったいわゆる滓状のものが濾過される。
【００７１】
そして、フィルタ１１６で濾過された水又は水性液体は、ポンプ１１８で加圧されて再びスプレーノズル１１０から噴射され、ウオッシュオフの処理に再利用されるよう循環される。
【００７２】
次に、上述した現像装置１０における作用及び動作について説明する。
【００７３】
この現像装置１０を用いて平版印刷版１２（露光後に水又は水性液体により脱膜分散して像形成する平版印刷版）に画像を形成する場合には、まず未現像の平版印刷版１２を、現像装置１０内部の搬送装置１０４上に挿入する。
【００７４】
すると、平版印刷版１２は、搬送装置１０４によって、レーザ記録部１１へ搬入され、チャック機構２２によってアウタードラム２０の外周面上にチャッキングされ、露光準備が完了する。この後、レーザ記録部１１は、露光ヘッド２６からＩＲレーザＬを平版印刷版１２上に照射しながら走査することにより露光処理（走査露光の処理）をして潜像を形成する。
【００７５】
潜像が形成された平版印刷版１２は、チャック機構２２によりアウタードラム２０から開放されて、搬送装置１０４上に排出される。すると、この搬送装置１０４は、平版印刷版１２を水現像部１００へ向けて搬出する。
【００７６】
水現像部１００では、搬入された平版印刷版１２を水現像処理して画像が形成された平版印刷版１２を完成し、図示しない装置外部のトレー上等に搬出する。
【００７７】
このようにして画像が形成された平版印刷版１２は、図示しない印刷機に装着して印刷の用に供される。
【００７８】
なお、上述した現像装置１０では、レーザ記録部１１と、水現像部１００とを一体構造の装置として構成しているが、レーザ記録部１１を有する装置と、水現像部１００を有する装置とを、それぞれ別体の装置として構成しても良い。
【００７９】
この場合には、平版印刷版１２を、レーザ記録部１１を有する装置で露光処理し、この後、潜像が形成された平版印刷版１２を、別体の水現像部１００を有する装置にかけて、画像が形成された平版印刷版１２を完成させることになる。
【００８０】
次に、本発明の第２実施の形態について図３乃至図８によって説明する。
【００８１】
本第２実施の形態では、平版印刷版１２をレーザ記録部１１から感光層を下に向けた状態で搬出すると共に、水現像部１００が平版印刷版１２の感光層を下に向けた状態でウオッシュオフするよう構成する。
【００８２】
このため本第２実施の形態におけるレーザ記録部１１では、アウタードラム２０に対して平版印刷版１２を装填し又は排出する操作を行うため、アウタードラム２０の図で上方に当たる位置に、入口側後端チャック着脱機構１２０、入口側先端チャック開閉機構１２２及び装填用スクイズローラ１２４を配置し、アウタードラム２０の図で下方に当たる位置に、出口側後端チャック着脱機構１２６、出口側先端チャック開閉機構１２８及び排出用スクイズローラ１３０を配置して構成する。
【００８３】
図３に示すように、本第２実施の形態に係わる現像装置１０では、アウタードラム２０の斜め下方に、水現像部１００を配置する。
【００８４】
この水現像部１００には、複数の搬送ローラ対１０８を所定間隔で並べて、平版印刷版１２の搬送方向上流側から下流側にかけて斜めに立ち上がるように傾斜する平版印刷版１２の上り搬送路を構成する。
【００８５】
この上り搬送路の下部における所定範囲に渡って、水又は水性液体を受けるドレイン１０６を配置する。
【００８６】
また水現像部１００には、平版印刷版１２の上り搬送路の下部に、スプレーノズル１１０を配置する。このスプレーノズル１１０は、ドレイン１０６の上方にある平版印刷版１２の感光層に対して、加圧された水又は水性液体を、平版印刷版１２の略搬送方向上流側（上り搬送路に下端側）に向けて、平版印刷版１２の感光層に斜めに当たるよう勢い良く噴き付ける（水流の強いジェット噴射で噴き付ける）という平版印刷版の現像方法を用いることにより、露光済み平版印刷版１２に形成されている感光層にある未露光部分の膜を水又は水性液体によってウオッシュオフ（未露光部分の膜を、水又は水性液体によって脱膜分散させて除去）するよう構成する。
【００８７】
このように構成された水現像部１００では、スプレーノズル１１０から噴射された水又は水性液体が、斜めに搬送される平版印刷版１２の下に向いた感光層の表面に対して平版印刷版１２の搬送方向とは逆向きで、かつ斜め下方に向けて吹き付けられることにより、剥離分散した膜を含んだ水又は水性液体が、スプレーノズル１１０からの噴射力と引力とが相俟って、平版印刷版１２の下部（搬送方向上流側）へ自然に流れ落ちることによりドレイン１０６内に流入するようにして、剥離した膜の残骸が平版印刷版１２におけるスプレーノズル１１０の位置より搬送方向下流側の版面に残らないようにする。
【００８８】
すなわち、本第２実施の形態に係わる現像装置１０では、平版印刷版１２の版面上における搬送方向下流側に常にフレッシュな水又は水性液体（ウオッシュ液）が供給されることになると共に、剥離分散した膜を含んだ水又は水性液体が搬送方向上流側から引力の作用で搬送方向とは逆向きに流れて、水切りを行う手段としての搬送ローラ対１０８へ至り、この搬送ローラ対１０８からドレイン１０６へ自然に流れ落ちるようになり、剥離分散した膜を含んだ水又は水性液体（膜の残骸で汚れた水又は水性液体）が引力に抗して上方へ昇ることは起こり難いから、剥離分散した膜の残骸等が版面上に残ったり、再付着することを十分に防止でき、良好に現像が行える。
【００８９】
なお、平版印刷版１２の版面に水又は水性液体を吹き付けるスプレーノズル１１０の位置は、水切りを行う手段としての搬送ローラ対１０８と同じ高さまたはそれよりも高い位置に配置するほうがより搬送とは逆向きの流れを発生させやすくなる。
【００９０】
次に、上述のように構成された本第２実施の形態における平版印刷版の現像装置に係わる作用及び動作について説明する。
【００９１】
本第２実施の形態に係わる現像装置１０を用いて平版印刷版１２（露光後に水又は水性液体により脱膜分散して像形成する平版印刷版）に画像を形成する場合には、まず未現像の平版印刷版１２を、現像装置１０内部の搬送装置１０４上に挿入する。すると、この搬送装置１０４は、平版印刷版１２を、図４に示すようにレーザ記録部１１へ搬入する動作を開始する。
【００９２】
この未現像の平版印刷版１２をレーザ記録部１１へ搬入する前の準備動作として、レーザ記録部１１では、図４Ａに示すように、入口側後端チャック着脱機構１２０が後端チャック１３２を保持し、入口側先端チャック開閉機構１２２が先端チャック１３４を開らかせるように操作した状態とし、装填用スクイズローラ１２４がアウタードラム２０の外周面から解離した状態とされている。
【００９３】
さらに、このときレーザ記録部１１では、出口側後端チャック着脱機構１２６が後端チャック１３２を手放した状態で待機し、出口側先端チャック開閉機構１２８が動作前の状態で待機し、排出用スクイズローラ１３０がアウタードラム２０の外周面から解離した状態とされている。
【００９４】
次に、平版印刷版１２の先端が、開状態の先端チャック１３４とアウタードラム２０との間に送り込まれると、入口側先端チャック開閉機構１２２によって先端チャック１３４が閉操作されて、平版印刷版１２の先端を先端チャック１３４がチャックした図４Ｂに示す状態となる。
【００９５】
次に、図４Ｂに示す状態からアウタードラム２０が所定の正転方向（図の矢印Ｒ１方向）へ回動を開始され、装填用スクイズローラ１２４が平版印刷版１２をアウタードラム２０の外周面上へ圧接する図４Ｃに示す状態へ移行する。
【００９６】
さらに図４Ｃに示す状態からアウタードラム２０が正転方向Ｒ１へ所定角度回動され、平版印刷版１２の後端部が入口側後端チャック着脱機構１２０の直下位置に至ると、入口側後端チャック着脱機構１２０は、図５Ａに示すように後端チャック１３２で平版印刷版１２の後端部をアウタードラム２０上にチャックする動作を行い、図５Ｂに示すように、アウタードラム２０上に平版印刷版１２を先端チャック１３４と後端チャック１３２とで係着保持した露光処理状態とする。
【００９７】
このレーザ記録部１１では、平版印刷版１２を図５Ｂに示す露光処理状態にセットして露光ヘッド２６により、露光処理をして潜像を形成する。
【００９８】
次に、露光処理が終わると、図６Ａに示すように、出口側後端チャック着脱機構１２６が後端チャック１３２上に降りてこれを捉えてから、図６Ｂに示すように上昇して後端チャック１３２を平版印刷版１２の後端部から解離する操作を行う。この動作と共に、排出用スクイズローラ１３０は、平版印刷版１２の後端部上に降ろされてアウタードラム２０の外周面上に平版印刷版１２を挟み付けるように転接する状態で保持する。
【００９９】
次に、図６Ｂに示す状態から、アウタードラム２０が正転方向Ｒ１へ所定小角度回動され、平版印刷版１２の後端が出口側後端チャック着脱機構１２６の直下位置から離脱する図６Ｃに示す状態とする。そして、この図６Ｃに示す状態で、出口側後端チャック着脱機構１２６を操作して、図７Ａに示すように後端チャック１３２をアウタードラム２０の外周面上の所定位置（平版印刷版１２が巻装されていない所定位置）に係着する。
【０１００】
次に、図７Ａに示す状態から、アウタードラム２０を逆転方向（図の矢印Ｒ２方向）へ回転させることにより、図７Ｂに示すように平版印刷版１２を、その後端側から水現像部１００内へ搬入を開始する。そして、図８Ａに示すように、平版印刷版１２が、その全長に渡って水現像部１００へ至る搬送路上へ引き出される状態に至ると、図８Ｂに示すように、出口側先端チャック開閉機構１２８が先端チャック１３４を開くように操作して平版印刷版１２の先端部を開放し、平版印刷版１２の全体が水現像部１００内に搬入され得るフリーな状態とする。
【０１０１】
また、図示しないが、このレーザ記録部１１では、アウタードラム２０を図８Ｃに示す状態から所定角度の正転方向（図の矢印Ｒ１方向）へ回動されて後端チャック１３２が入口側後端チャック着脱機構１２０の直下位置に至った状態で、入口側後端チャック着脱機構１２０に後端チャック１３２をアウタードラム２０の外周面上から拾い上げて保持する動作を行わせることにより、図４Ａに示す未現像の平版印刷版１２をレーザ記録部１１へ搬入する前の準備状態に復帰させて次の動作まで待機する。
【０１０２】
このようにして露光処理がされレーザ記録部１１から搬出された平版印刷版１２は、図８Ｃに示すように、水現像部１００に搬入されて水現像処理され画像が形成された平版印刷版１２が完成され、図示しない装置外部のトレー上等に搬出される。
【０１０３】
なお、本第２実施の形態における以上説明した以外の構成、作用、及び効果は前述した第１実施の形態と同様であるので、同一部材には同一符号を付すこととして、その説明を省略する。
【０１０４】
次に、本発明の第３実施の形態について図９により説明する。
【０１０５】
本第３実施の形態では、平版印刷版１２（露光後に水又は水性液体により脱膜分散して像形成する平版印刷版）をレーザ記録部１１から感光層を下に向けた状態で搬出すると共に、水現像部１００が平版印刷版１２の感光層を縦に向けた状態（略鉛直に向けた状態）でウオッシュオフするよう構成する。
【０１０６】
このため本第３実施の形態におけるレーザ記録部１１では、アウタードラム２０に対して平版印刷版１２を装填し又は排出する操作を行うため、アウタードラム２０の図で上方に当たる位置に、入口側後端チャック着脱機構１２０、入口側先端チャック開閉機構１２２及び装填用スクイズローラ１２４を配置し、アウタードラム２０の図で下方に当たる位置に、出口側後端チャック着脱機構１２６、出口側先端チャック開閉機構１２８及び排出用スクイズローラ１３０を配置して構成する。
【０１０７】
図９に示すように、本第３実施の形態に係わる現像装置１０では、アウタードラム２０の横に並べて、水現像部１００を配置する。
【０１０８】
この水現像部１００には、大径ローラと小径ローラとを対にして構成した水切りローラ１３６と複数の搬送ローラ対１０８とをそれぞれ所定間隔で並べて、平版印刷版１２の搬送方向上流側から下流側にかけて縦（略鉛直）に立ち上がる縦搬送路ＳＷ部分とを有する、平版印刷版１２の搬送路を構成する。
【０１０９】
この水現像部１００に構成される搬送路は、図９に例示するように、アウタードラム２０の下部から引き出され、水切りローラ１３６で縦方向に曲げられて縦搬送路ＳＷが設定され、さらに縦搬送路ＳＷの上部で搬送装置１０４の上に平版印刷版１２を搬出するよう横方向に曲げられて、全体が略逆コの字状となるように設定されている。
【０１１０】
この縦搬送路ＳＷの下部に当たる水切りローラ１３６の下側となる所定範囲に渡って、水又は水性液体を受けるドレイン１０６を配置する。
【０１１１】
また水現像部１００には、平版印刷版１２の縦搬送路ＳＷに隣接して、スプレーノズル１１０を、上下２段に配置する。さらに、平版印刷版１２に水又は水性液体が噴き付けられたときの圧力を受けて平版印刷版１２を背面から支受しながら搬送させるよう転接する支受ローラ１１２を配置する。
【０１１２】
水現像部１００のスプレーノズル１１０は、ドレイン１０６の上方にある縦搬送路ＳＷ上にある平版印刷版１２の感光層に対し、加圧された水又は水性液体を、平版印刷版１２の感光層に斜め下方に向けて（平版印刷版１２の搬送方向上流側（縦搬送路ＳＷの下端側）に斜めに向けて）当たるよう勢い良く噴き付ける（水流の強いジェット噴射で噴き付ける）ことにより、露光済み平版印刷版１２に形成されている感光層にある未露光部分の膜を水又は水性液体によってウオッシュオフ（未露光部分の膜を、水又は水性液体によって脱膜分散させて除去）するよう構成する。
【０１１３】
このように構成された水現像部１００では、スプレーノズル１１０から噴射された水又は水性液体が、縦搬送路ＳＷ上を搬送される平版印刷版１２の略鉛直に向いた感光層の表面に対して平版印刷版１２の搬送方向とは逆向きで、かつ斜め下方に向けて吹き付けられて平版印刷版１２に当てられることにより、剥離分散した膜を含んだ水又は水性液体が、スプレーノズル１１０からの噴射力と引力とが相俟って、縦搬送路ＳＷ上を搬送されている平版印刷版１２の直下へ急速に流れ落ちることによりドレイン１０６内に流入するようにして、平版印刷版１２におけるスプレーノズル１１０の位置より搬送方向下流側の版面に剥離分散した膜が残らないようにする。
【０１１４】
すなわち、本第３実施の形態に係わる現像装置１０では、平版印刷版１２の版面上における搬送方向下流側に常にフレッシュな水又は水性液体（ウオッシュ液）が供給されることになると共に、剥離分散した膜を含んだ水又は水性液体が縦搬送路ＳＷの搬送方向上流側から引力の作用でドレイン１０６へ急速に流れ落ちることになり、剥離分散した膜の残骸等が版面上に残ったり、再付着することを十分に防止でき、良好に現像が行える。
【０１１５】
次に、上述のように構成された本第３実施の形態における平版印刷版の現像装置に係わる作用及び動作について説明する。
【０１１６】
本第３実施の形態に係わる現像装置１０を用いて平版印刷版１２に画像を形成する場合には、まず未現像の平版印刷版１２を、現像装置１０内部の搬送装置１０４上に挿入する。すると、この搬送装置１０４は、回動動作して平版印刷版１２を、レーザ記録部１１へ搬入する。
【０１１７】
このレーザ記録部１１では、平版印刷版１２の搬入にともない、入口側先端チャック開閉機構１２２によって先端チャック１３４にチャックし、装填用スクイズローラ１２４で平版印刷版１２をアウタードラム２０の外周面上へ圧接して密着し、平版印刷版１２の後端部を入口側後端チャック着脱機構１２０で操作された後端チャック１３２でチャックすることにより、アウタードラム２０上に平版印刷版１２を先端チャック１３４と後端チャック１３２とで係着保持した露光処理状態とする。
【０１１８】
このレーザ記録部１１では、このように露光処理状態にセットされた平版印刷版１２に対して露光ヘッド２６により、露光処理をして潜像を形成する。
【０１１９】
次に、露光処理が終わると、出口側後端チャック着脱機構１２６により後端チャック１３２が離脱され、排出用スクイズローラ１３０で案内された平版印刷版１２がアウタードラム２０の逆回転動作により、その後端側から水現像部１００内へ搬入される。
【０１２０】
このように水現像部１００内に搬入された平版印刷版１２は、水切りローラ１３６により、上方へ向けて方向転換されて縦搬送路ＳＷ上を搬送される。この縦搬送路ＳＷ上を搬送されている平版印刷版１２の感光層の表面に、スプレーノズル１１０から噴射された水又は水性液体が吹きつけられて未露光部の膜がウオッシュオフされる。このように水現像処理により画像が形成された平版印刷版１２は、縦搬送路ＳＷの最上部に配置された搬送ローラ１０８で搬送方向を横（略水平方向）へ曲げられて所定の搬送路上を搬送され、搬送装置１０４上へ排出されてから、この搬送装置１０４により、図示しない装置外部のトレー上等に搬出される。
【０１２１】
なお、本第３実施の形態における以上説明した以外の構成、作用、及び効果は前述した第１又は第２実施の形態と同様であるので、同一部材には同一符号を付すこととして、その説明を省略する。
【０１２２】
また、前述した第１乃至第３実施の形態では、平版印刷版１２の感光層がある表面だけにスプレーノズル１１０から水又は水性液体を吹きつけて水現像処理を行う構成について説明したが、平版印刷版１２の裏面にも水又は水性液体を吹きつけるスプレーノズルを設けることで、平版印刷版１２の裏面にも剥離分散した膜の残骸等が残ったり、再付着することを防止することを防止するように構成しても良い。
【図面の簡単な説明】
【０１２３】
【図１】本発明の平版印刷版の現像方法及び現像装置における、第１実施の形態に係る現像装置の全体概略構成を示す構成図である。
【図２】本発明の第１実施の形態に係る現像装置における、レーザ記録部の部分を取り出して示す概略斜視図である。
【図３】本発明の第２実施の形態に係る現像装置の全体概略構成を示す構成図である。
【図４】（Ａ）（Ｂ）（Ｃ）は、それぞれ本発明の第２実施の形態に係る現像装置における、レーザ記録部の要部を取り出して平版印刷版をアウタードラムに巻装する状態を示す拡大概略構成図である。
【図５】（Ａ）（Ｂ）は、それぞれ本発明の第２実施の形態に係る現像装置における、レーザ記録部の要部を取り出して平版印刷版をアウタードラムに巻装する状態を示す拡大概略構成図である。
【図６】（Ａ）（Ｂ）（Ｃ）は、それぞれ本発明の第２実施の形態に係る現像装置における、レーザ記録部の要部を取り出してアウタードラムから平版印刷版を排出する状態を示す拡大概略構成図である。
【図７】（Ａ）（Ｂ）は、それぞれ本発明の第２実施の形態に係る現像装置における、レーザ記録部の要部を取り出してアウタードラムから平版印刷版を排出する状態を示す拡大概略構成図である。
【図８】（Ａ）（Ｂ）（Ｃ）は、それぞれ本発明の第２実施の形態に係る現像装置における、レーザ記録部から平版印刷版を水現像部へ搬出する状態を示す拡大概略構成図である。
【図９】本発明の第３実施の形態に係る現像装置の全体概略構成を示す構成図である。
【符号の説明】
【０１２４】
１０      現像装置
１１      レーザ記録部
１２      平版印刷版
２０      アウタードラム
３５      搬送ローラ
３６      ガイド部材
１００      水現像部
１０４      搬送装置
１０６      ドレイン
１０８      搬送ローラ（ニップローラ）
１１０      スプレーノズル
１１２      支受ローラ
１１４      送液パイプ
１１６      フィルタ
１１８      ポンプ
１２０      入口側後端チャック着脱機構
１２２      入口側先端チャック開閉機構
１２６      出口側後端チャック着脱機構
１２８      出口側先端チャック開閉機構
１３２      後端チャック
１３４      先端チャック
【図１】
2005099585.tif 000003
【図２】
2005099585.tif 000004
【図３】
2005099585.tif 000005
【図４】
2005099585.tif 000006
【図５】
2005099585.tif 000007
【図６】
2005099585.tif 000008
【図７】
2005099585.tif 000009
【図８】
2005099585.tif 000010
【図９】
2005099585.tif 000011